(57)【要約】【課題】新規でかつ合理的な不正解錠防止機構を備える遊技機用施錠装置を提供する。【解決手段】外枠２１側に設けられる受部１０と、前枠２２側に設けられかつ受部１０に係止する係止部４と、シリンダ錠の錠軸に連動して係止部４を受部１０から係止解除させる係止解除機構３を有する遊技機用施錠装置１であって、受部１０は、係止部４が挿入される挿入孔１０ａと、係止部４が係止されて係止部４の挿入孔１０ａからの抜けを防止する抜け防止機構１７とを有する。係止部４は、前枠２２側に傾動可能に設けられる一対の係止爪４ａ，４ｂを有し、係止解除機構３は、一対の係止爪４ａ，４ｂの間に設けられる断面非円径の解除ピン５を有し、解除ピン５がシリンダ錠の錠軸に連動して軸回転し、一対の係止爪４ａ，４ｂの間隔を施錠状態よりも解錠状態において小さくして、一対の係止爪４ａ，４ｂを抜け防止機構１７から係止解除させる構成になっている。【選択図】図６
2008012030.tif 000002
【特許請求の範囲】
【請求項１】
遊技機の外枠に回動可能に取付けられた前枠を施錠・解錠するために、前記外枠側に設けられる受部と、前記前枠側に設けられかつ前記受部に係止する係止部と、シリンダ錠の錠軸に連動して前記係止部を前記受部から係止解除させる係止解除機構を有する遊技機用施錠装置であって、
前記受部は、前記係止部が挿入される挿入孔と、前記係止部が係止されて前記係止部の前記挿入孔からの抜けを防止する抜け防止機構とを有し、
前記係止部は、前記前枠側に傾動可能に設けられる一対の係止爪を有し、
前記係止解除機構は、前記一対の係止爪の間に設けられる断面非円径の解除ピンを有し、前記解除ピンが前記シリンダ錠の錠軸に連動して軸回転し、前記一対の係止爪の間隔を施錠状態よりも解錠状態において小さくして、前記一対の係止爪を前記抜け防止機構から係止解除させる構成になっていることを特徴とする遊技機用施錠装置。
【請求項２】
請求項１に記載の遊技機用施錠装置であって、
受部の抜け防止機構は、一対のストッパーピンを有し、前記一対のストッパーピンの間に挿入された係止部を前記一対のストッパーピンによって挟んで係止する構成になっていることを特徴とする遊技機用施錠装置。
【発明の詳細な説明】
【技術分野】
【０００１】
本発明は、遊技機の外枠に回動可能に取付けられた前枠を施錠・解錠するための遊技機用施錠装置に関し、とりわけ不正解錠対策が施された遊技機用施錠装置に関する。
【背景技術】
【０００２】
従来、例えば特許文献１，２に記載の施錠装置が知られている。特許文献１の施錠装置は、遊技機の前枠側に設けられるシリンダ錠と、そのシリンダ錠の錠軸に固定されるカムと、そのカムの回動によって下方に移動する連結杆と、その連結杆の移動によって傾動して遊技機の外枠側の受部から係止解除される一対の鉤部（係止部）を有している。そして針金などを用いて行われる不正解錠を防止するために、連結杆を施錠位置でロックするロック部材と、そのロック部材をロック方向に付勢するスプリングと、カムを回動させた際にロック部材をロック解除する解除機構をも有している。
【０００３】
特許文献２に記載の施錠装置は、鉤部を施錠位置でロックするソレノイドバルブと、ソレノイドバルブを遠隔操作するための操作手段を有している。
【特許文献１】特開２００４−１４１２５６号公報
【特許文献２】特開２００３−１９０５６４号公報
【発明の開示】
【発明が解決しようとする課題】
【０００４】
本発明は、新規でかつ合理的な不正解錠防止機構を備える遊技機用施錠装置を提供することを課題とする。
【課題を解決するための手段】
【０００５】
前記課題を解決するために本発明は、各請求項に記載の通りの構成を備える遊技機用施錠装置であることを特徴とする。
請求項１に記載の発明によると、外枠側に設けられる受部と、前枠側に設けられる係止部と、係止部を受部から係止解除させる係止解除機構を有している。受部は、係止部が挿入される挿入孔と、係止部が係止されて係止部の挿入孔からの抜けを防止する抜け防止機構を有している。係止部は、前枠側に傾動可能に設けられる一対の係止爪を有している。そして係止解除機構は、一対の係止爪の間に設けられる断面非円径の解除ピンを有し、解除ピンがシリンダ錠の錠軸に連動して軸回転し、一対の係止爪の間隔を施錠状態よりも解錠状態において小さくして、一対の係止爪を抜け防止機構から係止解除させる構成になっている。
【０００６】
したがって施錠装置は、一対の係止爪を受部に挿入することで施錠状態になる。そのため一対の係止爪が受部内に挿入されるために、不正解錠がされ難い構成になっている。また解錠状態にする際には、係止爪間に設けられた断面非円径の解除ピンを軸回転させることで、一対の係止爪の間隔を小さくすることによって、係止爪を受部から係止解除させる。そのため断面非円径の解除ピンを軸回転させることで解錠状態になるために、新規でかつ不正解錠され難い構成になっている。また一対の係止爪は、傾動可能になっているために、受部に対して位置ズレしていた際には傾動して位置がオフセットされて受部に挿入され得る。
【０００７】
請求項２に記載の発明によると、受部の抜け防止機構は、一対のストッパーピンを有し、一対のストッパーピンの間に挿入された係止部を一対のストッパーピンによって挟んで係止する構成になっている。
【発明の効果】
【０００８】
本発明によれば、不正解錠防止機構が新規でかつ合理的な構成になる。
【発明を実施するための最良の形態】
【０００９】
本発明の実施形態を図１〜８にしたがって説明する。
本形態に係る施錠装置１は、図１，２に示すようにパチンコ機またはスロット機等の遊技機２０のための施錠装置である。遊技機２０は、外枠２１と前枠２２を有している。
外枠２１は、矩形状であって上下左右の枠部材を有しており、左の枠部材の上下部にヒンジ２３が取付けられている。
【００１０】
前枠２２は、板状であって中央部に開口窓１２ａを有しており、ヒンジ２３によって外枠２１に回動可能に取付けられる。したがって前枠２２は、外枠２１に対して開いた位置と閉じた位置との間で回動する。そして施錠装置１によって施錠・解錠される。
【００１１】
施錠装置１は、図１，２に示すように前枠２２側に設けられる前枠側施錠装置１ａと、外枠２１側に設けられる一対の受部１０を有している。
前枠側施錠装置１ａは、図３，４に示すようにカバー体（ベース体）２とシリンダ錠７とガラス板用係止装置８を有している。
【００１２】
カバー体２は、図４に示すように断面コ字状の本体２ｆと、本体２ｆと別個に形成された板状の錠裏面カバー部２ｅを有している。本体２ｆは、左右の側面２ａ，２ｂと裏面２ｃを有しており、上下方向に延出している。上下方向の長さは、連動杆３ａを覆うのに十分な長さであって、連動杆３ａが本体２ｆ内に覆い隠される。カバー体２の上下中間位置には、シリンダ錠７が取付けられるシリンダ錠取付部２ｄが形成されている。
【００１３】
シリンダ錠取付部２ｄは、図３，４に示すように裏面２ｃの右側位置に設けられており、シリンダ錠７が後方から挿通される。そしてシリンダ錠取付部２ｄにシリンダ錠７のフランジ部７ｂが取付けられ、錠裏面カバー部２ｅによってシリンダ錠７とシリンダ錠７に固定されるカム６の後方が覆われる。
【００１４】
カバー体２の上下部には、図４に示すように一対の係止部４が取付けられる。
一対の係止部４は、係止爪４ａ，４ｂを有しており、係止爪４ａ，４ｂの一端部がピン４ｃとスペーサ４ｄによってカバー体２の左右の側面２ａ，２ｂ間に傾動可能に取付けられる。係止爪４ａ，４ｂの他端部は、図６に示すようにカバー体２の裏面２ｃに形成された挿通孔２ｃ１に挿通されて、カバー体２から後方に突出する。
【００１５】
一対の係止部４の間には、係止部４をシリンダ錠７と連動させることで、係止部４を受部１０から係止解除させるための係止解除機構３が設けられている。係止解除機構３は、図４に示すように連動杆３ａとアーム３ｄと解除ピン５を有している。
【００１６】
連動杆３ａは、図４に示すように上下の係止部４に渡って上下に延出している。アーム３ｄは、筒状であって、図４，６に示すように一端部がピン３ｅによって連動杆３ａの上部と下部に傾動可能に取付けられる。アーム３ｄの他端部には、非円径の取付孔３ｄ１が形成されており、その取付孔３ｄ１に対応した非円径断面を有する解除ピン５の一端部が挿入される。このため解除ピン５は、アーム３ｄと一体になって回動する。アーム３ｄと連動杆３ａは、図４に示すように係止部４の右側に配設され、解除ピン５は、係止部４の係止爪４ａ，４ｂの間に設置される。
【００１７】
解除ピン５は、図４，６に示すように円柱状であって、外周面に一対の面取り部５ｂが形成されている。したがって解除ピン５の径は、図６，８に示すように面取り部５ｂを有する部分において小さく、面取り部５ｂを有しない部分において大きくなっている。したがって解除ピン５は、係止爪４ａ，４ｂ間において軸回転することで、係止爪４ａ，４ｂの近接方向への傾動量を変える。例えば図６に示す施錠状態においての近接方向への傾動量よりも、図８に示す解錠状態の傾動量の方が大きく、係止爪４ａ，４ｂの間隔が施錠状態よりも解錠状態において小さくなる。
【００１８】
連動杆３ａとカバー体２の間には、図４に示すようにコイルスプリング３ｆが設けられており、連動杆３ａがコイルスプリング３ｆによって上方に付勢されている。
連動杆３ａの下寄り部には、力受部３ｂが形成されており、力受部３ｂがシリンダ錠７の錠軸７ａとともに回転したカム６によって下方に押される。そのため連動杆３ａは、コイルスプリング３ｆの付勢力に抗して下方に移動する。
【００１９】
カム６は、図４に示すようにシリンダ錠７の錠軸７ａの先端に固定される固定部６ｃと、外周縁に形成された二つの突片６ａ，６ｂを有している。突片６ａは、シリンダ錠７に差し込んだ鍵を一方向（右方向）に回すことで、連動杆３ａの力受部３ｂに当接して連動杆３ａを押下げる。突片６ｂは、鍵を他方向（左方向）に回すことで、ガラス板用係止装置８の杆体８ａに当接して杆体８ａを押上げる。
【００２０】
ガラス板用係止装置８は、図４に示すように杆体８ａと、杆体８ａを下方に付勢するコイルスプリング８ｂを有している。そして杆体８ａは、コイルスプリング８ｂの付勢力に抗してカム６の突片６ｂによって押上げられ、前枠２２に回動可能に取付けられたガラス枠を解錠状態にする。
【００２１】
図５に示すように受部１０は、本体１１とベース１２と、本体１１とベース１２間に設けられる抜け防止機構１７を有している。抜け防止機構１７は、一対のスライド部材１５と、一対のストッパーピン１３と、スプリング１４を有している。一対のスライド部材１５は、本体１１に形成されたレール１１ｂによって前後方向（図５左右方向）に移動可能に支持される。ストッパーピン１３は、円柱状であって、図６に示すようにスライド部材１５と本体１１の間に配置され、中央部が図５に示すようにスライド部材１５の開口部１５ａによって開口されている。スプリング１４は、本体１１と一対のスライド部材１５の間に設けられ、スライド部材１５を前方（図５左方向）に付勢する。そして本体１１とベース１２は、取付具１６を介して外枠２１に取付られる（図６参照）。
【００２２】
施錠装置１を施錠状態にする方法を以下に説明する。
先ず、前枠２２を外枠２１に対して開き位置から閉じ位置に向けて回動させる。これにより前枠２２側に設けられた係止爪４ａ，４ｂが図６に示すように外枠２１側に設けられた受部１０の挿入孔１０ａに挿入する。挿入の際に、係止爪４ａ，４ｂが受部１０に対して位置ズレしている際には、係止爪４ａ，４ｂがピン４ｃを中心に傾動しつつ係止爪４ａ，４ｂが受部１０の挿入孔１０ａに挿入される。
【００２３】
その後、係止爪４ａ，４ｂがストッパーピン１３に当たり、図７（Ａ）に示すように係止爪４ａ，４ｂによってストッパーピン１３とスライド部材１５が本体１１に対して後方に押され移動する。ストッパーピン１３は、後方に移動することで本体１１内に形成された傾斜面１１ａによって係止部４から離間する方向に移動可能になり、ストッパーピン１３間に挿入された係止部４によって押されて離間する。そして係止部４がストッパーピン１３間を通って後方へ突入する。係止部４が図７（Ｂ）に示すように受部１０から抜ける方向に移動した際には、一対のストッパーピン１３が傾斜面１１ａに押されて係止部４を挟んで係止する。このため係止部４は、一対のストッパーピン１３によって受部１０からの抜けが防止される。
【００２４】
施錠装置１を解錠状態にする場合は、先ずシリンダ錠７に鍵を差込み、鍵を右方向に回す（図３，４参照）。これによりカム６が回転し、連動杆３ａが下方に移動し、アーム３ｄが図８に示すように解除ピン５を中心に傾動する。そして解除ピン５が回動して解除ピン５の面取り部５ｂが係止爪４ａ，４ｂに対向する。その結果、係止爪４ａ，４ｂの間隔が狭くなり、係止爪４ａ，４ｂがストッパーピン１３から離間して、ストッパーピン１３から外れる。かくして施錠装置１を解錠状態にすることができる。
【００２５】
以上のようにして施錠装置１が形成されている。
すなわち施錠装置１は、図３に示すように受部１０と、係止部４と、係止解除機構３を有している。受部１０は、図６に示すように係止部４が挿入される挿入孔１０ａと、係止部４に係止して係止部４の挿入孔１０ａからの抜けを防止する抜け防止機構１７を有している。係止部４は、前枠２２側に傾動可能に設けられる一対の係止爪４ａ，４ｂを有している。そして係止解除機構３は、一対の係止爪４ａ，４ｂの間に設けられる断面非円径の解除ピン５を有し、図６〜８に示すように解除ピン５がシリンダ錠７の錠軸７ａに連動して軸回転し、一対の係止爪４ａ，４ｂの間隔を施錠状態よりも解錠状態において小さくして、一対の係止爪４ａ，４ｂを抜け防止機構１７から係止解除させる構成になっている。
【００２６】
したがって施錠装置１は、一対の係止爪４ａ，４ｂを受部１０に挿入することで施錠状態になる。そのため一対の係止爪４ａ，４ｂが受部１０内に挿入されるために、不正解錠がされ難い構成になっている。また解錠状態にする際には、係止爪４ａ，４ｂ間に設けられた断面非円径の解除ピンを軸回転させることで、一対の係止爪４ａ，４ｂの間隔を小さくすることによって、係止爪４ａ，４ｂを受部１０から係止解除させる。そのため断面非円径の解除ピン５を軸回転させることで解錠状態になるために、新規でかつ不正解錠され難い構成にもなっている。また一対の係止爪４ａ，４ｂは、傾動可能になっているために、受部１０に対して位置ズレしていた際には傾動して位置がオフセットされて受部１０に挿入され得る。
【００２７】
（他の実施の形態）
本発明は、上記の実施の形態に限定されず、以下の形態であっても良い。
（１）例えば上記の実施の形態の施錠装置１は、図４に示すように上部と下部に係止部を有していた。しかしいずれか一方に係止部を有する形態等であっても良い。
（２）上記の実施の形態に係るカバー体２は、断面コ字状であった。しかしカバー体が断面半円状あるいは筒状等であっても良い。
【図面の簡単な説明】
【００２８】
【図１】遊技機の正面斜視図である。
【図２】遊技機の背面斜視図である。
【図３】施錠装置の正面斜視図である。
【図４】前枠側施錠装置の分解斜視図である。
【図５】受部の分解斜視図である。
【図６】施錠方法を示すための施錠装置の断面図である。
【図７】施錠方法および施錠状態を示すための施錠装置の断面図である。
【図８】解錠方法および解錠状態を示すための施錠装置の断面図である。
【符号の説明】
【００２９】
１・・・施錠装置
２・・・カバー体
２ｄ・・・シリンダ錠取付部
２ｃ１・・・挿通孔
２ｅ・・・錠裏面カバー部
３ｄ・・・アーム
３・・・係止解除機構
３ａ・・・連動杆
４・・・係止部
４ａ，４ｂ・・・係止爪
５・・・解除ピン
６・・・カム
７・・・シリンダ錠
７ａ・・・錠軸
１０・・・受部
１０ａ・・・挿入孔
１３・・・ストッパーピン
１７・・・抜け防止機構
２１・・・外枠
２２・・・前枠
【図１】
2008012030.tif 000003
【図２】
2008012030.tif 000004
【図３】
2008012030.tif 000005
【図４】
2008012030.tif 000006
【図５】
2008012030.tif 000007
【図６】
2008012030.tif 000008
【図７】
2008012030.tif 000009
【図８】
2008012030.tif 000010